(57)【要約】【課題】  この発明では、異なる形状の要素を組合わせて遊ぶ際に、手指の鍛錬になり健康を促進することが出来るような、新しい健康玩具を提供する。【解決手段】  このため、中心部から放射状に且つ３回以上の複数回対称に設けられた腕部と、該腕部の先に設けられた前記腕部よりも径大の掛止部と、から成る放射状体と、該放射状体の隣り合う腕部と該腕部の掛止部とから形成される空間に嵌合する部位を串ダンゴの串部に充てられていると共にダンゴ部の数が異なる複数種の串ダンゴ状体と、の組から構成されていることを特徴とする健康玩具とした。【選択図】図１
2012165995.tif 000002
【特許請求の範囲】
【請求項１】
中心部から放射状に且つ３回以上の複数回対称に設けられた腕部と、該腕部の先に設けられた前記腕部よりも径大の掛止部と、から成る放射状体と、該放射状体の隣り合う腕部と該腕部の掛止部とから形成される空間に嵌合する部位を串ダンゴの串部に充てられていると共にダンゴ部の数が異なる複数種の串ダンゴ状体と、の組から構成されていることを特徴とする健康玩具。
【請求項２】
前記掛止部がボール状を呈するものである請求項１に記載の健康玩具。
【請求項３】
前記放射状体の前記腕部が６回対称に設けられており、且つ前記串ダンゴ状体が、ダンゴ部の数が３のものと４のものとから成るセットである、請求項１または請求項２に記載の健康玩具。
【請求項４】
前記放射状体を複数個備えている、請求項１または請求項２または請求項３に記載の健康玩具。
【請求項５】
前記放射状体と前記串ダンゴ状体とが各々異なる色に色分けされている、請求項１または請求項２または請求項３に記載の健康玩具。
【請求項６】
前記放射状体が電動バイブレータを備えている、請求項１または請求項２または請求項３に記載の健康玩具。
【発明の詳細な説明】
【技術分野】
【０００１】  この発明は異なる形状の要素を組合わせて遊ぶ玩具に係り、この際に手指の鍛錬になり健康を促進することが出来るような、健康玩具に関する。
【背景技術】
【０００２】  従来より、例えば特開２０１０−１７２５６８号のように、複数個のブロックを各々の凹凸部分で嵌め合わせて、より大きな塊にしたり具象形状を作ったりして遊ぶためのブロック玩具が提供されている。ブロックの各々は、円筒形の凸部とこの凸部を嵌めるための直方形状の凹部とを備えており、形状や大きさが異なるものを組合わせることで、複雑な形状変化を楽しむことが出来るように構成されている。【０００３】  この他にも種々のブロック玩具が提供されているが、組み合せを楽しむためのブロック玩具は概ね上述した特開２０１０−１７２５６８号に類するものである。
【先行技術文献】
【特許文献】
【０００４】
【特許文献１】特開２０１０−１７２５６８号公報（図９）
【発明の概要】
【発明が解決しようとする課題】
【０００５】  上述したブロック玩具は、確かにブロックを組み合せて楽しむのには良く、ゲーム性を備えていると言うことは出来る。しかしながら、主として高齢者の老化防止やリハビリに効果があるかと言えば、必ずしもそのような目的に叶うようには作られていない。【０００６】  ところで、両手の指先を合わせて押す運動や、クルミやクルミを模した形状のもの２個を用意しておき掌に包んでこれを揉む動作を行うことで、手の血行を促進したり脳を刺激したりして健康増進を図ることが推奨されている。手の弱りは脳の弱りに繋がるからである。しかしながらこれ等は単調な動作だけなので飽きやすいと言う問題がある。【０００７】  そこでこの発明は、上述のような問題点を解決して、手指の強化が出来、高齢者の老化防止やリハビリに効果があるような、そうした健康玩具を提供することを目的とするものである。
【課題を解決するための手段】
【０００８】  上記課題は、中心部から放射状に且つ３回以上の複数回対称に設けられた腕部と、該腕部の先に設けられた前記腕部よりも径大の掛止部と、から成る放射状体と、該放射状体の隣り合う腕部と該腕部の掛止部とから形成される空間に嵌合する部位を串ダンゴの串部に充てられていると共にダンゴ部の数が異なる複数種の串ダンゴ状体と、の組から構成されていることを特徴とする健康玩具とすることにより達成される。回転対称数としては３〜８のものが現実的であるが、それ以上のものも可能である。またダンゴ部の数は２以上であれば特に限定はない。また串ダンゴ状体は全体として直線状であっても、湾曲や屈曲や分岐した状態のものであっても良い。【０００９】  組部品すなわち放射状体と串ダンゴ状体とは、一体に組み付けることが出来る。これは放射状体の隣り合う腕部と該腕部の掛止部とから形成される空間に、腕部自体や腕部よりも径大の掛止部からの抵抗力に抗して串ダンゴ状体の串部を押し込むことによって行われる。注目すべきは放射状体の腕部が回転対称に設けられていることによって、串部が未だ填め込まれていない部位には填め込まれている部位からの圧力が加わり、填め込むのにより多くの力が必要になると言う点である。また１本の串ダンゴ状体に関して言えば、どの串部を以て放射状体に組み付けるかで、串ダンゴ状体を持つ手の力を入れる部位が変わることが分かる。またこの発明によればダンゴ部の数が異なる複数種の串ダンゴ状体を備えているため、各々で力の入れ具合が異なるし、放射状体と串ダンゴ状体との組付けのバリエーションも多く複雑になり飽きることがない。【００１０】  このようであるから、手指の強化が出来、手首や腕や肩の鍛錬も可能である。また高齢者の老化防止やリハビリに効果があり、頭を使って脳をより活性化し得るのである。【００１１】  なお放射状体から串ダンゴ状体を外して分解する際にも、どこから着手するかを考えたり、効果的な力の入れ方を工夫するなどして、上述した効果を発揮させることが出来るようになっている。従って、組み付ける際にも分解する際にも、これまでのブロック玩具やクルミでは得られない効果を奏するものであると言うことが出来る。【００１２】  ところでこの発明では、掛止部がボール状を呈するものとしても良い。掛止部の形状は角丸の立方形や鉤形など基本的に任意であるが、ボール状であると組み付けや分解がより円滑に行い得る。【００１３】  更に前記放射状体の前記腕部が６回対称に設けられており、且つ前記串ダンゴ状体が、ダンゴ部の数が３のものと４のものとから成るセットであるものとすることが出来る。当発明者は試行錯誤してこの組み合わせが好適であることを見出した。【００１４】  更に前記放射状体を複数個備えているものとして良い。互いの腕部で放射状体同士を組み付けることが出来るため、腕部の数を増殖させることが可能になる。また腕部の広がりの面に付いて直角方向に面を増やすことが出来て串ダンゴ状体が向く方向が増えるため、興趣が尽きない。【００１５】  また前記放射状体と前記串ダンゴ状体とが各々異なる色に色分けされているものとすることが出来る。組部品がどの種類に属するものであるかが色で容易に分かるため、知育に効果的で��る。【００１６】  また前記放射状体が電動バイブレータを備えているものとすることが出来る。これによれば電動バイブレータが発する振動で、手指を刺激して上述の効果を高めることが可能である。なおこれとは別に肩や腰などをマッサージする用途に用いることが出来る。
【発明の効果】
【００１７】  この発明によれば、組部品の組み付けにある程度の力を必要とするため、手指の強化が出来、また組み付けのバリエーションも、高齢者の老化防止やリハビリに効果がある。
【図面の簡単な説明】
【００１８】
【図１】  実施例１の健康玩具の説明図である。
【図２】  この使用状態の説明図である。
【図３】  実施例２の放射状体１，１の使用状態の説明図である。
【図４】  実施例３の健康玩具のＡ−Ａ線断面を含む説明図である。
【図５】  この使用状態の説明図である。
【発明を実施するための形態】
【００１９】  以下この発明の３種の実施例を図面に基づいて説明するが、この発明はこれ等の実施例に限定されるものではなく、多くのバリエーションを提供することが可能である。
【実施例１】
【００２０】  図１及び図２は実施例１を表す。放射状体１は、中心部１０から放射状に６回対称に設けられた６本の腕部１１と、該腕部１１の先に設けられた腕部１１よりも径大のボール状の掛止部１２と、から成る。なお中心部１０にはステッカー１３が貼付されている。また串ダンゴ状体２は、前記腕部１１と掛止部１２とから形成される空間に嵌合する部位を串部２０に充てて３個のダンゴ部２１を有する。また串ダンゴ状体３は、同様の串部３０と４個のダンゴ部３１とを有する。放射状体１の１個に対して、串ダンゴ状体２，３は各々複数個が用意されている。なおダンゴ部２１，３１はボール状を呈する。【００２１】  実施例１はこのような３種の組部品から構成されている。これを組み付けた例が図２である。いま分かり易いように放射状体１に縦線を、串ダンゴ状体２に斜線を、串ダンゴ状体３に横線を付したが、これらは断面を表すものではなく、表面の色分けを表すものである。【００２２】  このように組み付けて行く過程で手と頭とを使うことになる。そして手首や腕や肩も鍛錬される。また図２のように組み上がると、これを握ったり力を緩めたりする訓練が可能になる。この際の手の感触や組み上がったものから受ける反発力は脳を都合良く刺激するものである。またこのように組み上がったものから別の形を形成するように組み替えることも効果的である。また分解する時にも力と知恵とを使うことになる。【００２３】  なお図１で放射状体１に鎖線で表した円は、串部２０，３０が嵌め合わさる部位を説明している。ここで図示のように串部２０，３０が嵌め合わされると、未だ嵌め合わされていない前記空間には、その両側の腕部１１や掛止部１２から矢線で示すような力が加わるため、次にここに串部２０，３０を嵌め込むに際してはより多くの力が必要になる。逆に外して分解する場合では初めの頃ほど強い力を必要とする道理である。
【実施例２】
【００２４】  この実施例で使用するものは実施例１で説明した３種の組部品と、追加したもう１個の放射状体１とである。図３では２個の放射状体１，１を各々の腕部１１と掛止部１２とで組み付けたものが表されている。【００２５】  図３で左側の放射状体１は水平状態にありこれに組み付けられた、鎖線で表す串ダンゴ状体２は垂直姿勢を取っている。これに対して右側の放射状体１は垂直状態にあるため、これに組み付けられた、鎖線で表す串ダンゴ状体３は水平姿勢を取っている。
【実施例３】
【００２６】  図４及び図５は実施例３を表す。この実施例で特徴的な点は、放射状体４は２個の放射状体を、図の左右で掛止部４２，４２の位置を合わせるようにして、連結杆４４で連結して成る点である。恰も車軸で繋いだ車輪のようである。【００２７】  ２個の放射状体は同型のものであり、各々中心部４０から放射状に５回対称に設けられた５本の腕部４１と、該腕部４１の先に設けられた腕部４１よりも径大のボール状の掛止部４２とから成る。また２個の放射状体の中心部４０，４０の相対する側には各々連結穴４５が設けられており、該連結穴４５に連結杆４４が嵌入されて、放射状体４が構成されている。なお符合４３はステッカーを差す。【００２８】  図４の中心部４０にハッチングを付した部位は連結杆４４のＡ−Ａ線断面を表すものである。また放射状体４に鎖線で表した円は、図５で鎖線で表した串ダンゴ状体３の串部が嵌め合わさる部位を説明している。従って放射状体４に串ダンゴ状体３を組み付ける際には同時に左右の２箇所に気を配る必要があり、作業効果をより高めることが出来るようになっている。
【この他の実施例】
【００２９】  この実施例は図示しないが、放射状体に、回転軸に偏心重錘を取り付けると共に電池に接続したモータを組み込んで電源スイッチを取り付けた構成が可能である。すなわちこれは電動のバイブレータであり、振動で手指を刺激したり、肩をマッサージしたりすることが出来るものである。
【産業上の利用可能性】
【００３０】  この発明の健康玩具は、手指ではなく足指で操作するものとして構成しても良い。子供用の知育玩具として提供することが出来る。また放射状体と串ダンゴ状体とを一体に組み付けてオブジェとして用いることなども可能である。
【符号の説明】
【００３１】１    放射状体
１０  中心部
１１  腕部
１２  掛止部
１３  ステッカー
２    串ダンゴ状体
２０  串部
２１  ダンゴ部
３    串ダンゴ状体
３０  串部
３１  ダンゴ部
４    放射状体
４０  中心部
４１  腕部
４２  掛止部
４３  ステッカー
４４  連結杆
４５  連結穴
【図１】
2012165995.tif 000003
【図２】
2012165995.tif 000004
【図３】
2012165995.tif 000005
【図４】
2012165995.tif 000006
【図５】
2012165995.tif 000007